(57)【要約】      （修正有）【課題】操作者が想定するスクロール方向を考慮して、スクロール方向を自動で切り替えることが可能な表示装置を提供する。【解決手段】操作方向の指示が可能な操作部１０と、ディスプレイ３０に所定の軸に沿って表示される複数の選択項目であって、操作部により所定の軸に沿ってスクロール操作されることによって、操作部による所定の軸に沿ったスクロール操作開始時に選択されている第１の項目と、スクロール操作開始直後における操作部による第１の操作方向とを記憶する記憶部２５と、最終的に選択された第２の項目を認識する認識部と、第１の項目から第２の項目に最短のスクロール移動で向かう操作部による所定の軸に沿ったスクロール操作の操作方向が、第１の操作方向と異なっている場合、操作部による所定の軸に沿ったスクロール操作によりディスプレイ上に出力されるスクロール方向を反転させる制御部２０とを備えることを特徴とする。【選択図】図１
2015176257.tif 000002
【特許請求の範囲】
【請求項１】
ディスプレイと、
前記ディスプレイに表示される画面を操作する操作部であって、操作方向の指示が可能な操作部と、
前記ディスプレイに所定の軸に沿って表示される複数の選択項目であって、前記操作部により前記所定の軸に沿ってスクロール操作されることによって、選択可能な複数の選択項目と、
前記複数の選択項目のうち、前記操作部による前記所定の軸に沿ったスクロール操作開始時に選択されている第１の項目と、前記スクロール操作開始直後における前記操作部による第１の操作方向とを記憶する記憶部と、
前記複数の選択項目のうち、前記スクロール操作開始後、最終的に選択された第２の項目を認識する認識部と、
前記第１の項目から前記第２の項目に最短のスクロール移動で向かう前記操作部による前記所定の軸に沿ったスクロール操作の操作方向が、前記第１の操作方向と異なっている場合、前記操作部による前記所定の軸に沿ったスクロール操作により前記ディスプレイ上に出力されるスクロール方向を反転させる制御部とを備えることを特徴とする、
表示装置。
【請求項２】
前記認識部は、
前記スクロール操作開始後、前記操作部により前記所定の軸に沿った方向とは異なる方向へのスクロール操作が行われた場合、又は、前記操作部によりスクロール操作以外の操作が行われた場合、又は、所定時間の間、前記操作部による操作が行われなかった場合に、選択されている選択項目を前記第２の項目として認識することを特徴とする、
請求項１に記載の表示装置。
【請求項３】
前記スクロール操作開始時とは、
前記操作部により前記所定の軸に沿った方向とは異なる方向へのスクロール操作が行われた後、又は、前記操作部によるスクロール操作以外の操作が行われた後、又は、所定時間の間、前記操作部による操作がされなかった後に、前記複数の選択項目のスクロール操作が行われた時であることを特徴とする、
請求項１又は２に記載の表示装置。
【請求項４】
前記制御部は、
前記第１の項目から前記第２の項目に最短のスクロール移動で向かう前記操作部による前記所定の軸に沿ったスクロール操作の操作方向が、前記第１の操作方向と異なっている場合、前記操作部による前記所定の軸に沿ったスクロール操作により前記ディスプレイ上に出力されるスクロール方向を反転させることを提案することを特徴とする、
請求項１乃至３のいずれか一項に記載の表示装置。
【発明の詳細な説明】
【技術分野】
【０００１】
本発明は、表示装置に関する。
【背景技術】
【０００２】
従来、操作方向の指示を伴う操作に対するディスプレイに表示されるコンテンツのスクロール方向を状況に応じて切り替える技術が知られている（例えば、特許文献１）。特許文献１では、ロータリー・スイッチによる操作に対する表示コンテンツのスクロール方向を縦置きモード、及び横置きモードの各表示モード毎に切り替える小型情報処理機器が開示されている。
【先行技術文献】
【特許文献】
【０００３】
【特許文献１】特開平１０−２４０６９３号公報
【発明の概要】
【発明が解決しようとする課題】
【０００４】
ところで、ユーザに多くの情報を提供するため、表示装置のディスプレイには、複数の表示コンテンツ（選択項目）が表示可能とされ、当該複数の選択項目は、所定の軸に沿ったスクロール操作により選択可能に構成される場合がある。この場合、操作者は、所定の軸に沿った操作方向の指示が可能な操作部を用いて、所定の軸に沿ったスクロール操作を行い、所望の選択項目を選択することができる。
【０００５】
しかしながら、各ユーザが自らの操作により実現されるであろうと想定するスクロール方向は、一様ではない。即ち、リストスクロールを例にとれば、表示されたリストが固定され、カーソルが移動するようにスクロールが行われることを想定する操作者もいれば、カーソル位置が固定され、背景のリストが移動するようにスクロールが行われることを想定する操作者もいる。そのため、所定の軸に沿ったスクロール操作に対して、ディスプレイ上に出力されるスクロール方向を固定すると、操作者に違和感を与えるおそれがある。
【０００６】
一方、表示装置において、操作者によるスクロール方向の手動での切替設定を可能に構成することも可能であるが、わざわざ、設定画面での所定の設定を行うこと自体が面倒であり、操作者にとっての手間となる。
【０００７】
そこで、上記課題に鑑み、操作者が想定するスクロール方向を考慮して、操作によって得られるスクロール方向を自動で切り替えることが可能な表示装置を提供することを目的とする。
【課題を解決するための手段】
【０００８】
上記目的を達成するため、一実施形態において、表示装置は、
ディスプレイと、
前記ディスプレイに表示される画面を操作する操作部であって、操作方向の指示が可能な操作部と、
前記ディスプレイに所定の軸に沿って表示される複数の選択項目であって、前記操作部により前記所定の軸に沿ってスクロール操作されることによって、選択可能な複数の選択項目と、
前記複数の選択項目のうち、前記操作部による前記所定の軸に沿ったスクロール操作開始時に選択されている第１の項目と、前記スクロール操作開始直後における前記操作部による第１の操作方向とを記憶する記憶部と、
前記複数の選択項目のうち、前記スクロール操作開始後、最終的に選択された第２の項目を認識する認識部と、
前記第１の項目から前記第２の項目に最短のスクロール移動で向かう前記操作部による前記所定の軸に沿ったスクロール操作の操作方向が、前記第１の操作方向と異なっている場合、前記操作部による前記所定の軸に沿ったスクロール操作により前記ディスプレイ上に出力されるスクロール方向を反転させる制御部とを備えることを特徴とする。
【発明の効果】
【０００９】
本実施の形態によれば、操作者が想定するスクロール方向を考慮して、操作によって得られるスクロール方向を自動で切り替えることが可能な表示装置を提供することができる。
【図面の簡単な説明】
【００１０】
【図１】表示装置の構成の一例を示すブロック図である。
【図２】ディスプレイに表示される表示コンテンツ（選択項目）間のスクロール態様の一例を示す図である。
【図３】コンテンツのスクロールパターンを示す図である。
【図４】表示装置（制御部）によるスクロール方向の反転処理の一例を示す図である。
【図５】表示装置（制御部）によるスクロール方向の反転処理の一例を示すフローチャートである。
【発明を実施するための形態】
【００１１】
以下、図面を参照して発明を実施するための形態について説明する。
【００１２】
図１は、本実施形態に係る表示装置１の構成の一例を示すブロック図である。表示装置１は、例えば、車両に搭載され、車載装置（カーナビゲーション装置、オーディオ装置、空調装置、通信装置等）に関する情報や車両の走行情報（燃費、走行距離等）などのコンテンツを表示可能に構成されてよい。
【００１３】
表示装置１は、操作部１０、制御部２０、メモリ２５、ディスプレイ３０等を含む。
【００１４】
操作部１０は、ディスプレイ３０に表示される画面を操作する操作手段である。車室内の適切な場所に設けられ、好ましくは、運転者が操作しやすい位置（運転姿勢を保持しながら手が届く位置）に配置されるとよい。例えば、コンソールボックスまたはその周辺やステアリングホイールのスポーク上に配置されてよい。操作部１０は、ディスプレイ３０に表示される複数のコンテンツ（選択項目）の中から所望の選択項目を選択するため、操作方向を指示可能に構成され、上スイッチ１０ＵＳ、下スイッチ１０ＤＳ、左スイッチ１０ＬＳ、右スイッチ１０ＲＳを含んでよい。また、操作部１０は、選択された選択項目を決定（確定）するための決定スイッチ１０ＤＣを含んでよい。操作部１０は、制御部２０と通信可能に構成され、操作者による操作に対応する信号（操作信号）を制御部２０に出力する。
【００１５】
なお、操作部１０には、後述する、ディスプレイ３０に所定の軸に沿って表示される選択項目のスクロール方向（所定の軸に沿った二方向）が指示可能な操作手段であれば、任意の手段が適用されてよい。例えば、ジョイスティック、トラックボール、静電パッド、サムホイール、モーメンタルスイッチ、トグルスイッチ等が適用されてよい。
【００１６】
制御部２０は、ディスプレイ３０に表示される画面を制御する制御手段である。例えば、制御部２０は、上述した車載装置や車載された各種検出手段（例えば、燃料タンクの残量計、車速センサ等）からの情報、信号を受信可能に構成されてよい。そして、車載装置に関する情報や車両の走行情報等のコンテンツをディスプレイ３０に表示させるための画像生成処理を実行してよい。制御部２０は、生成した画像（画面）信号をディスプレイ３０に出力する。
【００１７】
また、制御部２０は、操作部１０からの操作信号に応じて、ディスプレイ３０に表示させる画面を制御してよい。例えば、操作部１０において操作方向の指示を伴う操作信号が入力された場合、制御部２０は、画面をスクロールすることにより、ディスプレイ３０に表示させるコンテンツを切り替えてよい。また、制御部２０は、画面内のリストをスクロールすることにより、リスト内のメニューを切り替えてよい。即ち、制御部２０は、操作部１０からのスクロール操作に対応する操作信号（スクロール可能な方向への操作方向の指示を伴う操作信号）が入力された場合、複数の選択項目をスクロールさせることにより、選択状態にある選択項目を変更してよい。
【００１８】
メモリ２５は、制御部２０からの指令に基づいて、制御部２０から入力された各種情報を記憶する記憶手段である。
【００１９】
なお、制御部２０、及びメモリ２５は、マイクロコンピュータにより構成されてよく、制御部２０は、例えば、ＲＯＭに格納された各種プログラムをＣＰＵ上で実行することにより各種制御処理を実行してよい。また、制御部２０の機能は、複数の制御部により実現されてもよい。例えば、制御部２０は、操作部１０からの操作信号等に基づき、ディスプレイ３０に表示させる画面の選択等の処理を行う一の制御部と、一の制御部からの指令に基づき、ディスプレイ３０に表示させる画面（画像）を生成する処理を行う他の制御部により構成されてもよい。
【００２０】
ディスプレイ３０は、上述した車載装置に関する情報や車両の走行情報等を表示するための表示手段である。ディスプレイ３０は、上述したとおり、制御部２０により生成された表示させる画面に対応する画像信号を受信し、当該画面を表示部に表示する。これにより、運転者等は、車載装置に関する情報や車両の走行情報等を認知することが可能となる。
【００２１】
次に、本実施形態に係る表示装置１において、ディスプレイ３０に表示されるコンテンツ（選択項目）間のスクロール態様について説明をする。
【００２２】
図２は、ディスプレイ３０に表示されるコンテンツ（選択項目）間のスクロール態様の一例を示す図である。本例において、各コンテンツは、ディスプレイ３０の表示部全体に情報画面として表示され、画面スクロールにより選択されたコンテンツの切替（変更）を行うことが可能に構成される。ディスプレイ３０に表示可能な複数のコンテンツは、ジャンルＡ、ジャンルＢ、ジャンルＣに分類される。そして、ジャンルＡ、Ｂ、Ｃのそれぞれに、複数（本例では、３つ）のコンテンツが含まれる。即ち、ジャンルＡには、コンテンツＡ１、Ａ２、Ａ３が含まれ、ジャンルＢには、コンテンツＢ１、Ｂ２、Ｂ３が含まれ、ジャンルＣには、コンテンツ、Ｃ１、Ｃ２、Ｃ３が含まれる。例えば、ジャンルＡは、車両の走行情報に関するもので、コンテンツＡ１は、燃費表示、コンテンツＡ２は、エコモニター表示（アクセル操作等に基づき算出される省燃費運転度合いの表示）、及び、コンテンツＡ３は、走行距離表示であってよい。また、ジャンルＢは、オーディオ装置（音源）に関するもので、コンテンツＢ１は、ＣＤ／ＤＶＤ音源の表示、コンテンツＢ２は、内臓ＨＤＤ（ハードディスクドライブ）内の音源の表示、コンテンツＢ３は、外部接続された音源の表示であってよい。また、ジャンルＣは、通信装置に関するもので、コンテンツＣ１は、通話選択表示（電話をかけるための画面表示）、コンテンツＣ２は、インターネットブラウザ表示、コンテンツＣ３は、電子メール表示であってよい。なお、当該通信装置は、車載装置であってもよいし、操作者（搭乗者）により表示装置１に対して外部接続された携帯電話等の外部装置であってもよい。また、図中の矢印は、コンテンツ間のスクロールが可能であることを示す。
【００２３】
図２を参照するに、ジャンルＡ、Ｂ、Ｃのぞれぞれに含まれる各コンテンツは、ディスプレイ３０に上下方向（の軸）に沿って表示される。そして、上下方向への画面スクロールにより選択状態の変更（ディスプレイ３０に表示させるコンテンツの変更）を行うことができる。具体的には、ジャンルＡにおいて、コンテンツＡ１、Ａ２間、及び、コンテンツＡ２、Ａ３間で、操作部１０における上下方向のスクロール操作による選択状態の変更を行うことができる。また、ジャンルＢにおいて、コンテンツＢ１、Ｂ２間、及び、コンテンツＢ２、Ｂ３間で、操作部１０における上下方向のスクロール操作による選択状態の変更を行うことができる。また、ジャンルＣにおいて、コンテンツＣ１、Ｃ２間、及び、コンテンツＣ２、Ｃ３間で、操作部１０における上下方向のスクロール操作による選択状態の変更を行うことができる。
【００２４】
また、ジャンルＡのコンテンツＡ１、ジャンルＢのコンテンツＢ１、ジャンルＣのコンテンツＣ１は、ディスプレイ３０に左右方向（の軸）に沿って表示される。そして、左右方向への画面スクロールにより選択状態の変更（ディスプレイ３０に表示させるコンテンツの変更）を行うことができる。即ち、ジャンルＡ、Ｂ、Ｃの選択を切り替えることができる。具体的には、コンテンツＡ１、Ｂ１間（ジャンルＡ、Ｂ間）、及び、コンテンツＢ１、Ｃ１間（ジャンルＢ、Ｃ間）で、操作部１０における左右方向のスクロール操作による選択状態の変更を行うことができる。
【００２５】
なお、コンテンツＡ１、Ｂ１、Ｃ１と同様に、コンテンツＡ２、Ｂ２、Ｃ２についても左右方向のスクロール操作によりコンテンツの選択状態（ジャンルの選択状態）を変更することが可能に構成されてもよい。即ち、コンテンツＡ２、Ｂ２間（ジャンルＡ、Ｂ間）、及び、コンテンツＢ２、Ｃ２間（ジャンルＢ、Ｃ間）で、操作部１０における左右方向のスクロール操作による選択状態の変更が可能に構成されてもよい。また、同様に、コンテンツＡ３、Ｂ３、Ｃ３についても左右方向のスクロール操作によりコンテンツの選択状態（ジャンルの選択状態）を変更することが可能に構成されてよい。即ち、コンテンツＡ３、Ｂ３間（ジャンルＡ、Ｂ間）、及び、コンテンツＢ３、Ｃ３間（ジャンルＢ、Ｃ間）で、操作部１０における左右方向のスクロール操作による選択状態の変更が可能に構成されてもよい。
【００２６】
また、上下方向、左右方向のスクロールは、スクロール端を持たないスクロール態様でスクロールしてもよい。例えば、コンテンツＡ１、Ａ２、Ａ３のスクロールにおいて、コンテンツＡ１、Ａ３間で、操作部１０における上下方向のスクロール操作による選択状態の変更が可能に構成されてもよい。また、コンテンツＡ１、Ｂ１、Ｃ１のスクロールにおいて、コンテンツＡ１、Ｃ１間で、操作部１０における左右方向のスクロール操作による選択状態の変更が可能に構成されてもよい。
【００２７】
次に、本実施形態に係る表示装置１におけるコンテンツのスクロール態様について説明をする。
【００２８】
図３は、表示装置１において実現可能なコンテンツのスクロールパターンを示す図である。具体的に、図３（ａ）は、第１のスクロールパターン（表示エリア遷移スクロールパターン）を仮想的に示す図であり、図３（ｂ）は、第２のスクロールパターン（選択項目遷移スクロールパターン）を仮想的に示す図である。なお、図２に示したとおり、ジャンルＡ、Ｂ、Ｃの切替は、ディスプレイ３０上、左右方向の軸上に沿って表示されるコンテンツＡ１、Ｂ１、Ｃ１の画面スクロールにより行われるが、便宜的に、本図中では、ジャンルＡ、Ｂ、Ｃの左右方向の画面スクロールが行われるものとして記載する。図３（ａ）、（ｂ）共に、ジャンルＢ（コンテンツＢ１）が選択された状態で、操作部１０における右方向への操作指示を表す右スイッチ１０ＲＳが操作された場合の画面スクロールの態様を仮想的に表している。
【００２９】
まず、第１のスクロールパターンである「表示エリア遷移スクロールパターン」は、左右方向（の軸）に沿って配置される複数の選択項目上をディスプレイ３０の表示エリアが移動するようにして、選択項目間のスクロールが行われるスクロール態様である。図３（ａ）を参照するに、左右方向（の軸）に沿って左からジャンルＡ、Ｂ、Ｃの順で配置された選択項目上を、表示エリアＤＡが右スイッチ１０ＲＳの操作に対応して右に移動し、ジャンルＢが選択された状態からジャンルＣが選択された状態に画面スクロールが行われる。なお、ジャンルＢが選択された状態から左スイッチ１０ＬＳの操作が行われた場合、ジャンルＡが選択された状態に画面スクロールが行われる。
【００３０】
一方、第２のスクロールパターンである「選択項目遷移スクロールパターン」は、固定されたディスプレイ３０の表示エリアに対して、左右方向（の軸）に沿って配置される複数の選択項目が左右方向に移動するようにして、選択項目間のスクロールが行われるスクロール態様である。図３（ｂ）を参照するに、固定された表示エリアＤＡに対して、左右方向（の軸）に沿って左からジャンルＡ、Ｂ、Ｃの順で配置された選択項目が、右スイッチ１０ＲＳの操作に対応して右に移動し、ジャンルＢが選択された状態からジャンルＡが選択された状態に画面スクロールが行われる。なお、ジャンルＢが選択された状態から左スイッチ１０ＬＳの操作が行われた場合、ジャンルＣが選択された状態に画面スクロールが行われる。
【００３１】
このように、本実施形態に係る表示装置１で実現可能な第１のスクロールパターンと第２のスクロールパターンでは、同じ方向の操作指示を行うことにより、ディスプレイ３０上に出力されるスクロール方向が異なる。即ち、例えば、ジャンルＢからジャンルＡに選択状態を切り替えるために操作部１０により指示されるべき操作方向は、第１のスクロールパターンと第２のスクロールパターンとでは、異なる（互いに反対方向である）。
【００３２】
次に、本実施形態に係る表示装置１（制御部２０）による特徴的な処理、具体的には、操作部１０におけるスクロール操作に対して、ディスプレイ３０に出力されるスクロール方向の反転処理について説明をする。
【００３３】
図４は、本実施形態に係る表示装置１（制御部２０）によるスクロール方向の反転処理の一例を示す図である。具体的には、操作者による操作部１０の操作に応じて、スクロール方向の反転処理、即ち、スクロールパターンの切替（第１のスクロールパターン、第２のスクロールパターン間での切替）を行う。図４（ａ）〜（ｄ）は、時間経過に沿って、操作者により行われるスクロール操作、及び制御部２０による処理を示しており、操作者は、ジャンルＢが選択された状態からジャンルＡが選択された状態に変更する（切り替える）操作を行っている。なお、本例は、第１のスクロールパターン（表示エリア遷移スクロールパターン）で画面スクロールが行われるように設定されている状態で、操作者が操作部１０によるスクロール操作を行う例を示す。また、図２に示したとおり、ジャンルＡ、Ｂ、Ｃの切替は、ディスプレイ３０上、左右方向（の軸）に沿って表示されるコンテンツＡ１、Ｂ１、Ｃ１の画面スクロールにより行われるが、便宜的に、図３と同様、本図中では、ジャンルＡ、Ｂ、Ｃの左右方向の画面スクロールが行われるものとして記載する。
【００３４】
図４（ａ）を参照するに、左右方向に沿って左からジャンルＡ、Ｂ、Ｃの順で配置される複数の選択項目に対して、ジャンルＢが選択された状態にある（仮想的に、ディスプレイ３０の表示エリアＤＡがジャンルＢ上にある）。
【００３５】
続いて、図４（ｂ）を参照するに、ジャンルＢが選択された状態から右スイッチ１０ＲＳが操作され、表示エリアＤＡが右に移動するようにして、選択項目（ジャンル）のスクロールが開始される。
【００３６】
続いて、図４（ｃ）を参照するに、図４（ｂ）に示した右スイッチ１０ＲＳの操作により目的とするジャンルＡとは反対側のジャンルＣが選択された状態に画面スクロールがされている。そのため、操作者は、逆方向の操作指示を示す左スイッチ１０ＬＳを複数回（２回）操作し、ジャンルＡが選択された状態まで画面スクロールを行っている。
【００３７】
続いて、図４（ｄ）を参照するに、操作者は、目的とするジャンルＡが選択された状態に到達したので、ジャンルＡに含まれるコンテンツＡ１、Ａ２、Ａ３の中から所望のコンテンツを選択するため、下スイッチ１０ＤＳを操作している。これにより、左右方向とは異なる方向（上下方向）のスクロールが開始される。すると、制御部２０は、左右方向のスクロール操作が終了したと判断し、ディスプレイ３０の画面上に左右のスクロール方向を反転することを提案する表示を行う。即ち、制御部２０は、図４（ａ）〜（ｃ）の一連の操作者の操作に基づき、操作者が操作方向に対して想定するスクロール方向と実際に実行されたスクロール方向とに相違があると判断することができる。そのため、操作者に左右のスクロール方向を反転する（具体的には左右方向のスクロール態様を、第１のスクロールパターンから第２のスクロールパターンに切り替える）ことを提案する。操作者が「Ｙｅｓ」を選択した場合、制御部２０は、左右のスクロール方向を反転する、即ち、左右方向のスクロール態様を、第１のスクロールパターンから第２のスクロールパターンに切り替える。なお、本例では、スクロール方向を反転させる提案を行ったが、自動的に、スクロール方向を反転させるようにしてもよい。
【００３８】
このように、操作者が想定するスクロール方向と実際のスクロール方向に相違がある場合に、自動的にスクロール方向の反転を行うことにより、操作者の違和感を解消することができる。また、操作者は、スクロール方向が反転されることで、自らの感覚に合った操作を行うことが可能となり、その結果、適切にスクロール操作を行うことができる。また、この際、自動的にスクロール方向の反転がされるので、操作者にスクロール方向の設定変更を要求する等の手間をかけることもない。
【００３９】
また、本例のように、自動的にスクロール方向を反転する前に、スクロール方向の反転を提案することにより、操作者が反転する必要がないと感じている場合には、反転を拒否することが可能となるので、ユーザーフレンドリーである。例えば、操作者がたまたま操作を誤った場合や操作者が次回から現在のスクロール方向で操作しても問題ないと感じている場合等、スクロール方向の反転が必要ないような場合に有効である。
【００４０】
なお、本例では、左右のスクロール方向の反転処理の一例について説明を行ったが、当該処理は、上下のスクロール方向の反転処理に対しても、当然ながら、適用されてよい。また、選択項目は、上下軸、左右軸以外の所定の軸に沿って配置されることも可能であり、そのような場合は、当該所定の軸に沿ったスクロール操作に対して、ディスプレイ３０上に出力されるスクロール方向の反転処理に対しても本例の処理が適用されてよい。
【００４１】
ここで、表示装置１（制御部２０）によるスクロール方向（操作部１０におけるスクロール操作によりディスプレイ３０上に出力されるスクロール方向）の反転処理の詳細について、図５のフローチャートを用いて説明をする。
【００４２】
図５は、表示装置１（制御部２０）によるスクロール方向の反転処理の一例を示すフローチャートである。当該処理フローは、操作部１０によるスクロール操作が開始される度に実行されてよい。なお、制御部２０は、所定時間の間、操作部１０に対する操作が行われない状態が継続した後、操作部１０によるスクロール操作が行われた時に、スクロール操作が開始されたと判断してよい。また、一の軸方向のスクロール操作が行われた後、一の軸方向とは異なる他の軸方向へのスクロール操作が行われた時（例えば、左右方向のスクロール操作が行われた後、上下方向のスクロール操作が行われた時）に、スクロール操作が開始されたと判断してよい。また、操作部１０によるスクロール操作以外の操作が行われた後、操作部１０によるスクロール操作が行われた時に、スクロール操作が開始されたと判断してよい。制御部２０は、操作部１０から入力される操作信号に基づき、当該判断を行うことができる。
【００４３】
図５を参照するに、ステップＳ１０１では、当該スクロール操作開始時に選択されている選択項目をメモリ２５に記録する。また、操作部１０から受信した操作信号に基づき、当該スクロール操作開始時における操作部１０による操作方向をメモリ２５に記録する。
【００４４】
続いて、ステップＳ１０２では、操作部１０から受信した操作信号に基づき、当該スクロール操作における目的とする選択項目（コンテンツ）に到達したか否かを判定する。即ち、当該スクロール操作の軸上において、操作者が最終的に選択したい選択項目が選択されたか否かを判定する。目的の選択項目に到達するまで、本ステップの判定を繰り返し、目的の選択項目に到達したと判定した場合、ステップＳ１０３に進む。なお、制御部２０は、当該スクロール操作後、所定時間の間、操作部１０による操作が行われなかった場合、目的の選択項目に到達したと判定してよい。また、当該スクロール操作後、当該スクロール操作とは異なる軸方向へのスクロール操作が行われた場合、目的の選択項目に到達したと判定してよい。また、当該スクロール操作後、操作部１０によるスクロール操作以外の操作が行われた場合、目的の選択項目に到達したと判定してよい。また、当該スクロール操作中、スクロール端の選択項目が選択された状態で、操作部１０による当該スクロール操作の軸に沿った方向への操作であって、スクロールしない方向への操作が行われた場合、目的の選択項目に到達したと判定してよい。即ち、スクロール端に位置する選択項目を目指して、スクロール操作を行う際、操作方向を指示する操作が連続的に行われ、その結果、スクロール端に到達したにも関わらず、誤ってスクロールしない方向への操作が行われる場合がある。そのため、このような場合は、目的の選択項目に到達したと判定することができる。例えば、図２の左右方向のスクロールにおけるコンテンツＡ１が選択された状態で、コンテンツＢ１に向かう操作方向とは反対の操作方向のスクロール操作が行われた場合、目的の選択項目（コンテンツＡ１）に到達したと判定してよい。
【００４５】
ステップＳ１０３では、目的の選択項目（最終的に選択された選択項目）を認識した上で、メモリ２５に記録した情報に基づいて、操作開始時の選択項目から目的の選択項目へ最短のスクロール移動で向かう操作方向と、操作開始時の操作方向とが異なるか否かを判定する。例えば、図４において、操作開始時のジャンルＢから目的のジャンルＡへ最短のスクロール移動で向かう操作方向は、左方向であり、操作開始時の操作方向は、右方向であるので、本ステップの判定条件を満足する。当該判定条件を満足する場合、ステップＳ１０４に進み、当該判定条件を満足しない場合、今回の処理を終了する。
【００４６】
ステップＳ１０４では、図４（ｄ）に示したように、ディスプレイ３０の表示部上に、スクロール操作方向の反転（即ち、スクロールパターンの切替）を提案する表示を行う。なお、スクロール操作方向の反転の提案は、操作者が容易に当該提案を認識可能な態様で実行されればよく、例えば、音声等により行われてもよい。
【００４７】
続いて、ステップＳ１０５では、スクロール操作方向の反転の提案に対して、操作者によりスクロール方向の反転を行う旨の応答がされたか否かを判定する。スクロール方向の反転を行う旨の応答がされた場合、ステップＳ１０６に進み、スクロール方向の反転を行う旨の応答がされなかった場合、今回の処理を終了する。なお、当該提案に対して、所定時間経過しても、何れの応答もされなかった場合は、今回の処理を終了するようにしてよい。また、操作者による当該提案に対する応答は、例えば、図４における「Ｙｅｓ」、「Ｎｏ」を上スイッチ１０ＵＳ、下スイッチ１０ＤＳの操作により選択可能とし、決定スイッチ１０ＤＣの操作により選択を確定させることにより行われてよい。
【００４８】
ステップＳ１０６では、操作者によるスクロール方向を反転させる旨の応答に応じて、スクロール方向の反転（スクロールパターンの切替）を行い、今回の処理を終了する。
【００４９】
このように、制御部２０は、具体的に、操作者が想定するスクロール方向と実際のスクロール方向に相違があるか否かを判定することが可能であり、当該判定に基づき、スクロール方向の反転を行うことができる。即ち、操作者が想定するスクロール方向を考慮して、操作によって得られるスクロール方向を自動で切り替えることが可能となる。
【００５０】
以上、本発明を実施するための形態について詳述したが、本発明はかかる特定の実施形態に限定されるものではなく、特許請求の範囲に記載された本発明の要旨の範囲内において、種々の変形・変更が可能である。
【００５１】
例えば、上述した実施形態では、画面情報としてのコンテンツ、ジャンルを選択項目として、選択項目のスクロール操作を行う際のスクロール方向の反転処理について説明をしたが、当該反転処理は、画面上のリストスクロール等に適用されてもよい。
【００５２】
また、上述した実施形態では、表示装置１は、車載装置であったが、車両に搭載されない表示装置であってもよい。即ち、上述した実施形態で説明した選択項目のスクロール操作を行う際のスクロール方向の反転処理は、車載されるか否かを問わず、任意の表示装置に適用されてよい。
【符号の説明】
【００５３】
１  表示装置
１０  操作部
１０ＤＣ  決定スイッチ
１０ＤＳ  下スイッチ
１０ＬＳ  左スイッチ
１０ＲＳ  右スイッチ
１０ＵＳ  上スイッチ
２０  制御部（認識部、制御部）
２５  メモリ（記憶部）
３０  ディスプレイ
Ａ、Ｂ、Ｃ  ジャンル（選択項目）
Ａ１、Ａ２、Ａ３  コンテンツ（選択項目）
Ｂ１、Ｂ２、Ｂ３  コンテンツ（選択項目）
Ｃ１、Ｃ２、Ｃ３  コンテンツ（選択項目）
【図１】
2015176257.tif 000003
【図２】
2015176257.tif 000004
【図３】
2015176257.tif 000005
【図４】
2015176257.tif 000006
【図５】
2015176257.tif 000007